(57)【要約】【課題】  液晶ライトバルブに入射する光の量を制限することなく液晶ライトバルブに含まれる射出側偏光板の温度上昇を抑制する。【解決手段】  与えられる画像信号に応じて、入射光を変調する液晶ライトバルブを有し、前記液晶ライトバルブから射出される変調光の表す画像を投写するプロジェクタにおいて、前記液晶ライトバルブは、前記液晶ライトバルブの光射出面側に設けられた射出側偏光板を備える。前記プロジェクタは、前記画像信号の黒レベルを調整する黒レベル調整部と、前記液晶ライトバルブの光射出面側に設けられた射出側偏光板の温度を検出する温度検出部と、前記黒レベル調整部の動作を制御する制御部とを備える。前記制御部は、前記射出側偏光板の温度上昇を抑制するために、前記温度検出部で検出される温度に基づいて、前記黒レベル調整部に対して前記画像信号の黒レベルを調整させることを特徴とする。【選択図】        図２
2005274995.tif 000002
【特許請求の範囲】
【請求項１】
与えられる画像信号に応じて、入射光を変調する液晶ライトバルブを有し、前記液晶ライトバルブから射出される変調光の表す画像を投写するプロジェクタにおいて、
前記液晶ライトバルブは、前記液晶ライトバルブの光射出面側に設けられた射出側偏光板、を備え、
前記プロジェクタは、
前記画像信号の黒レベルを調整する黒レベル調整部と、
前記射出側偏光板の温度を検出する温度検出部と、
前記黒レベル調整部の動作を制御する制御部と、を備え、
前記制御部は、前記射出側偏光板の温度上昇を抑制するために、前記温度検出部で検出される温度に基づいて、前記黒レベル調整部に対して前記画像信号の黒レベルを調整させることを特徴とするプロジェクタ。
【請求項２】
請求項１記載のプロジェクタにおいて、
前記液晶ライトバルブを冷却するための冷却ファン、を備え、
前記制御部は、前記射出側偏光板の温度上昇を抑制するために、前記黒レベル調整部に対して前記画像信号の黒レベルを調整させる前に、前記温度検出部で検出される温度に基づいて、前記冷却ファンに対して前記冷却ファンの風量を調整させることを特徴とするプロジェクタ。
【請求項３】
請求項１記載のプロジェクタにおいて、
前記液晶ライトバルブを冷却するための冷却ファン、を備え、
前記制御部は、前記射出側偏光板の温度上昇を抑制するために、前記黒レベル調整部に対して前記画像信号の黒レベルを調整させた後、さらに、前記温度検出部で検出される温度に基づいて、前記冷却ファンに対して前記冷却ファンの風量を調整させることを特徴とするプロジェクタ。
【請求項４】
請求項１記載のプロジェクタにおいて、
前記液晶ライトバルブを冷却するための冷却ファン、を備え、
前記制御部は、ユーザの指示に従って、前記射出側偏光板の温度上昇を抑制するために、前記黒レベル調整部に対して前記画像信号の黒レベルを調整させる前に、前記温度検出部で検出される温度に基づいて、前記冷却ファンに対して前記冷却ファンの風量を調整させる第１の複数制御モードと、前記射出側偏光板の温度上昇を抑制するために、前記黒レベル調整部に対して前記画像信号の黒レベルを調整させた後、さらに、前記温度検出部で検出される温度に基づいて、前記冷却ファンに対して前記冷却ファンの風量を調整させる第２の複数制御モードのいずれで動作するかを決定することを特徴とするプロジェクタ。
【請求項５】
請求項１または請求項２記載のプロジェクタにおいて、
前記入射光の光量を調整する入射光量調整部、を備え、
前記制御部は、前記射出側偏光板の温度上昇を抑制するために、前記黒レベル調整部に対して前記画像信号の黒レベルを調整させた後、さらに、前記温度検出部で検出される温度に基づいて、前記入射光量調整部に対して前記入射光の光量を調整させることを特徴とするプロジェクタ。
【請求項６】
請求項３記載のプロジェクタにおいて、
前記入射光の光量を調整する入射光量調整部、を備え、
前記制御部は、前記射出側偏光板の温度上昇を抑制するために、前記黒レベル調整部に対して前記画像信号の黒レベルを調整させ、前記冷却ファンに対して前記冷却ファンの風量を調整させた後、さらに、前記温度検出部で検出される温度に基づいて、前記入射光量調整部に対して前記入射光の光量を調整させることを特徴とするプロジェクタ。
【請求項７】
請求項４記載のプロジェクタにおいて、
前記入射光の光量を調整する入射光量調整部、を備え、
前記制御部は、前記第１または第２の複数制御モードで動作後、さらに、前記温度検出部で検出される温度に基づいて、前記入射光量調整部に対して前記入射光の光量を調整させることを特徴とするプロジェクタ。
【請求項８】
与えられる画像信号に応じて、入射光を変調する液晶ライトバルブを有し、前記液晶ライトバルブから射出される変調光の表す画像を投写するプロジェクタにおいて、
前記画像信号の黒レベルを標準の階調レベルに調整する第１のモードと、前記標準の階調レベルよりも高い階調レベルに調整する第２のモードとを有する黒レベル調整部と、
前記黒レベル調整部を前記第１のモードまたは前記第２のモードで動作させる制御部と、を備えることを特徴とするプロジェクタ。
【請求項９】
請求項８記載のプロジェクタにおいて、
前記液晶ライトバルブは、前記液晶ライトバルブの光射出面側に設けられた射出側偏光板、を備え、
前記プロジェクタは、前記射出側偏光板の温度を検出する温度検出部、を備え、
前記制御部は、前記温度検出部で検出した温度に基づいて、前記黒レベル調整部を前記第１のモードと前記第２のモードのいずれで動作させるか決定することを特徴とするプロジェクタ。
【請求項１０】
請求項８記載のプロジェクタにおいて、
前記液晶ライトバルブは、前記液晶ライトバルブの光射出面側に設けられた射出側偏光板、を備え、
前記プロジェクタは、前記射出側偏光板の温度を検出する温度検出部、を備え、
前記制御部は、前記黒レベル調整部を前記第２のモードで動作させる場合において、さらに、前記画像信号の黒レベルを、前記温度検出部で検出した温度に基づいて、前記標準の階調レベルよりも高い複数の階調レベルに調整するように動作させることを特徴とするプロジェクタ。
【請求項１１】
請求項９または請求項１０記載のプロジェクタにおいて、
前記液晶ライトバルブを冷却するための冷却ファン、を備え、
前記制御部は、前記黒レベル調整部を前記第２のモードで動作させる前に、前記温度検出部で検出した温度に基づいて、前記冷却ファンに対して前記冷却ファンの風量を調整させることを特徴とするプロジェクタ。
【請求項１２】
請求項９または請求項１０記載のプロジェクタにおいて、
前記液晶ライトバルブを冷却するための冷却ファン、を備え、
前記制御部は、前記黒レベル調整部を前記第２のモードで動作させた後、さらに、前記温度検出部で検出した温度に基づいて、前記冷却ファンに対して前記冷却ファンの風量を調整させることを特徴とするプロジェクタ。
【請求項１３】
請求項９または請求項１０記載のプロジェクタにおいて、
前記液晶ライトバルブを冷却するための冷却ファン、を備え、
前記制御部は、ユーザの指示に従って、前記黒レベル調整部を前記第２のモードで動作させる前に、前記温度検出部で検出した温度に基づいて、前記冷却ファンに対して前記冷却ファンの風量を調整させる第１の複数制御モードと、前記黒レベル調整部を前記第２のモードで動作させた後、さらに、前記温度検出部で検出した温度に基づいて、前記冷却ファンに対して前記冷却ファンの風量を調整させる第２の複数制御モードのいずれで動作させるか決定することを特徴とするプロジェクタ。
【請求項１４】
請求項９ないし請求項１１のいずれかに記載のプロジェクタにおいて、
前記入射光の光量を調整する入射光量調整部、を備え、
前記制御部は、前記黒レベル調整部を前記第２のモードで動作させた後、さらに、前記温度検出部で検出される温度に基づいて、前記入射光量調整部に対して前記入射光の光量を調整させることを特徴とするプロジェクタ。
【請求項１５】
請求項１２記載のプロジェクタにおいて、
前記入射光の光量を調整する入射光量調整部、を備え、
前記制御部は、前記黒レベル調整部を前記第２のモードで動作させ、前記冷却ファンの風量を調整させた後、さらに、前記温度検出部で検出される温度に基づいて、前記入射光量調整部に対して前記入射光の光量を調整させることを特徴とするプロジェクタ。
【請求項１６】
請求項１３記載のプロジェクタにおいて、
前記入射光の光量を調整する入射光量調整部、を備え、
前記制御部は、前記第１または第２の複数制御モードで動作後、さらに、前記温度検出部で検出される温度に基づいて、前記入射光量調整部に対して前記入射光の光量を調整させることを特徴とするプロジェクタ。
【請求項１７】
請求項８記載のプロジェクタにおいて、
前記制御部は、ユーザの指示に従って、前記黒レベル調整部を前記第１のモードと前記第２のモードのいずれで動作させるかを決定することを特徴とするプロジェクタ。
【発明の詳細な説明】
【技術分野】
【０００１】
本発明は、プロジェクタにおいて、液晶ライトバルブを構成する射出側偏光板の温度上昇を抑制するための技術に関するものである。
【背景技術】
【０００２】
画像を投写するプロジェクタの電気光学デバイスとして液晶ライトバルブが多く利用されている。
【０００３】
この液晶ライトバルブは、透過型の液晶パネルと、この液晶パネルの光入射面側に設けられた入射側偏光板と、光射出面側に設けられた射出側偏光板とで構成される。入射側偏光板から射出される偏光光は、液晶パネルにおいて、画像信号に応じて各画素に印加される駆動電圧に従ってその偏光方向が変調される。液晶パネルにおいて変調された光のうち、射出側偏光板の偏光軸と一致する偏光方向の光のみが、射出側偏光板から射出され、その他の光は射出側偏光板で吸収される。これにより、液晶ライトバルブは、入射される光を画像信号に応じて変調する。
【０００４】
従って、液晶ライトバルブを構成する液晶パネル、入射側偏光板、および、射出側偏光板は、入射する光に対して射出光に損失があり、この損失により発熱して温度が上昇する。特に、射出側偏光板は光の吸収量が多く、これに起因して温度上昇の度合いが高くなる。なお、入射側偏光板の温度上昇は、入射側偏光板に入射する光が、通常、効率を考慮して入射側偏光板の偏光軸と同じ偏光方向の偏光光とされるため、比較的低くなる。
【０００５】
従来のプロジェクタには、冷却ファンからの送風により液晶ライトバルブを冷却して、液晶ライトバルブの近傍温度が、あらかじめ決められた仕様温度内に維持できるように、冷却ファンの回転数を制御し、また、光源装置の発光量を制御して、射出側偏光板や液晶パネルの温度の上昇を抑制しているものがある（例えば、特許文献１参照）。
【０００６】
また、射出側偏光板の温度が、異常温度となった場合に照明光を発生する光源装置の電源を遮断して、射出側偏光板や液晶パネルの温度の上昇を抑制しているものもある（例えば、特許文献２参照）。
【０００７】
【特許文献１】特開２０００−１９４０７２号公報
【特許文献２】特開２００３−４３４４０号公報
【発明の開示】
【発明が解決しようとする課題】
【０００８】
ところで、上述したように、射出側偏光板の温度上昇は、射出側偏光板で吸収される光の量に起因している。そこで、射出側偏光板で吸収される光量を減少させることにより射出側偏光板の温度上昇を抑制する方法として、光源装置から射出される光の量を制限して、液晶ライトバルブに入射する光の量を制限して、射出側偏光板で吸収される光量を減少させる方法も考えられている。
【０００９】
しかしながら、この方法の場合、プロジェクタの使用中において、射出側偏光板の温度上昇に応じて、投写画像の明るさが制限されることになる。
【００１０】
ビジネスシーンにおいてプロジェクタを利用する場合、投写画像の明るさが優先され、投写可能な最大の明るさで画像を投写することが望まれている。このような場合に、液晶ライトバルブの温度上昇に応じて、液晶ライトバルブに入射する光の量が制限されて投写画像の明るさが変化することになると、その画像を見ているユーザに対して違和感を与えてしまう可能性が高く、望ましくない。
【００１１】
従って、液晶ライトバルブに入射する光の量を制限することなく液晶ライトバルブに含まれる射出側偏光板の温度上昇を抑制することが望まれている。
【００１２】
そこで、本発明の目的は、上記した従来技術の問題点を解決し、液晶ライトバルブに入射する光の量を制限することなく液晶ライトバルブに含まれる射出側偏光板の温度上昇を抑制するための技術を提供することを目的とする。
【課題を解決するための手段】
【００１３】
上記した目的の少なくとも一部を達成するために、本発明の第１の装置は、与えられる画像信号に応じて、入射光を変調する液晶ライトバルブを有し、前記液晶ライトバルブから射出される変調光の表す画像を投写するプロジェクタにおいて、
前記液晶ライトバルブは、前記液晶ライトバルブの光射出面側に設けられた射出側偏光板、を備え、
前記プロジェクタは、
前記画像信号の黒レベルを調整する黒レベル調整部と、
前記射出側偏光板の温度を検出する温度検出部と、
前記黒レベル調整部の動作を制御する制御部と、を備え、
前記制御部は、前記射出側偏光板の温度上昇を抑制するために、前記温度検出部で検出される温度に基づいて、前記黒レベル調整部に対して前記画像信号の黒レベルを調整させることを特徴とする。
【００１４】
上記発明のプロジェクタによれば、温度検出部で検出される温度に基づいて、画像信号の黒レベルを調整することにより、射出側偏光板の温度上昇を抑制することができる。これにより、液晶ライトバルブに入射する光の量を制限することなく液晶ライトバルブに含まれる射出側偏光板の温度上昇を抑制することができる。
【００１５】
ここで、上記発明のプロジェクタにおいて、
前記液晶ライトバルブを冷却するための冷却ファン、を備え、
前記制御部は、前記射出側偏光板の温度上昇を抑制するために、前記黒レベル調整部に対して前記画像信号の黒レベルを調整させる前に、前記温度検出部で検出される温度に基づいて、前記冷却ファンに対して前記冷却ファンの風量を調整させることが好ましい。
【００１６】
これにより、画像信号の黒レベルを調整することにより、射出側偏光板の温度上昇を抑制する前に、冷却ファンの風量を調整して射出側偏光板の温度上昇を抑制することができるので、画像信号の黒レベルを調整することにより、投写される画像の画質が低下する前に、冷却ファンの風量を調整することにより、射出側偏光板の温度上昇を抑制することができる。
【００１７】
あるいは、上記発明のプロジェクタにおいて、
前記液晶ライトバルブを冷却するための冷却ファン、を備え、
前記制御部は、前記射出側偏光板の温度上昇を抑制するために、前記黒レベル調整部に対して前記画像信号の黒レベルを調整させた後、さらに、前記温度検出部で検出される温度に基づいて、前記冷却ファンに対して前記冷却ファンの風量を調整させることも好ましい。
【００１８】
これにより、画像信号の黒レベルを調整することにより、射出側偏光板の温度上昇を抑制した後で、さらに、冷却ファンの風量を調整して射出側偏光板の温度上昇を抑制することができるので、効果的に射出側偏光板の温度上昇を抑制することができる。
【００１９】
また、上記発明のプロジェクタにおいて、
前記液晶ライトバルブを冷却するための冷却ファン、を備え、
前記制御部は、ユーザの指示に従って、前記射出側偏光板の温度上昇を抑制するために、前記黒レベル調整部に対して前記画像信号の黒レベルを調整させる前に、前記温度検出部で検出される温度に基づいて、前記冷却ファンに対して前記冷却ファンの風量を調整させる第１の複数制御モードと、前記射出側偏光板の温度上昇を抑制するために、前記黒レベル調整部に対して前記画像信号の黒レベルを調整させた後、さらに、前記温度検出部で検出される温度に基づいて、前記冷却ファンに対して前記冷却ファンの風量を調整させる第２の複数制御モードのいずれで動作するかを決定することも好ましい。
【００２０】
これにより、ユーザは射出側偏光板の温度上昇を抑制するための制御動作として、第１の複数制御モードと、第２の複数制御モードから選択することが可能である。
【００２１】
また、上記発明のプロジェクタにおいて、
前記入射光の光量を調整する入射光量調整部、を備え、
前記制御部は、前記射出側偏光板の温度上昇を抑制するために、前記黒レベル調整部に対して前記画像信号の黒レベルを調整させた後、さらに、前記温度検出部で検出される温度に基づいて、前記入射光量調整部に対して前記入射光の光量を調整させることが好ましい。
【００２２】
これにより、画像信号の黒レベルを調整することにより、射出側偏光板の温度上昇を抑制した後で、さらに、液晶ライトバルブの入射光の光量を調整して射出側偏光板の温度上昇を抑制することができるので、効果的に射出側偏光板の温度上昇を抑制することができる。
【００２３】
また、上記発明のプロジェクタにおいて、
前記入射光の光量を調整する入射光量調整部、を備え、
前記制御部は、前記射出側偏光板の温度上昇を抑制するために、前記黒レベル調整部に対して前記画像信号の黒レベルを調整させ、前記冷却ファンに対して前記冷却ファンの風量を調整させた後、さらに、前記温度検出部で検出される温度に基づいて、前記入射光量調整部に対して前記入射光の光量を調整させることも好ましい。
【００２４】
これにより、画像信号の黒レベルを調整し、冷却ファンの風量を調整して、射出側偏光板の温度上昇を抑制した後で、さらに、液晶ライトバルブの入射光の光量を調整して射出側偏光板の温度上昇を抑制することができるので、効果的に射出側偏光板の温度上昇を抑制することができる。
【００２５】
また、上記発明のプロジェクタにおいて、
前記入射光の光量を調整する入射光量調整部、を備え、
前記制御部は、前記第１または第２の複数制御モードで動作後、さらに、前記温度検出部で検出される温度に基づいて、前記入射光量調整部に対して前記入射光の光量を調整させることも好ましい。
【００２６】
これにより、第１または第２の複数制御モードで、射出側偏光板の温度上昇を抑制した後で、さらに、液晶ライトバルブの入射光の光量を調整して射出側偏光板の温度上昇を抑制することができるので、効果的に射出側偏光板の温度上昇を抑制することができる。
【００２７】
発明の第２の装置は、与えられる画像信号に応じて、入射光を変調する液晶ライトバルブを有し、前記液晶ライトバルブから射出される変調光の表す画像を投写するプロジェクタにおいて、
前記画像信号の黒レベルを標準の階調レベルに調整する第１のモードと、前記標準の階調レベルよりも高い階調レベルに調整する第２のモードとを有する黒レベル調整部と、
前記黒レベル調整部を前記第１のモードまたは前記第２のモードで動作させる制御部と、を備えることを特徴とする。
【００２８】
上記発明のプロジェクタによれば、画像信号の黒レベルを標準の階調レベルよりも高い階調レベルに調整することにより、射出側偏光板の温度上昇を抑制することができる。これにより、液晶ライトバルブに入射する光の量を制限することなく液晶ライトバルブに含まれる射出側偏光板の温度上昇を抑制することができる。
【００２９】
ここで、上記発明のプロジェクタにおいて、
前記液晶ライトバルブは、前記液晶ライトバルブの光射出面側に設けられた射出側偏光板、を備え、
前記プロジェクタは、前記液晶ライトバルブの光射出面側に設けられた射出側偏光板の温度を検出する温度検出部、を備え、
前記制御部は、前記温度検出部で検出した温度に基づいて、前記黒レベル調整部を前記第１のモードと前記第２のモードのいずれで動作させるか決定することが好ましい。
【００３０】
これにより、温度検出部で検出される温度に基づいて、第１のモードで動作するか第２のモードで動作するか決定することができる。
【００３１】
また、上記発明のプロジェクタにおいて、
前記液晶ライトバルブは、前記液晶ライトバルブの光射出面側に設けられた射出側偏光板、を備え、
前記プロジェクタは、前記液晶ライトバルブの光射出面側に設けられた射出側偏光板の温度を検出する温度検出部、を備え、
前記制御部は、前記黒レベル調整部を前記第２のモードで動作させる場合において、さらに、前記画像信号の黒レベルを、前記温度検出部で検出した温度に基づいて、前記標準の階調レベルよりも高い複数の階調レベルに調整するように動作させることが好ましい。
【００３２】
これにより、温度検出部で検出される温度に基づいて、画像信号の黒レベルを標準の階調レベルよりも高い複数の階調レベルに調整することにより、射出側偏光板の温度上昇を抑制することができる。
【００３３】
また、上記発明のプロジェクタにおいて、
前記液晶ライトバルブを冷却するための冷却ファン、を備え、
前記制御部は、前記黒レベル調整部を前記第２のモードで動作させる前に、前記温度検出部で検出した温度に基づいて、前記冷却ファンに対して前記冷却ファンの風量を調整させることが好ましい。
【００３４】
これにより、画像信号の黒レベルを調整する前に、冷却ファンの風量を調整することができるので、画像信号の黒レベルを調整することにより、投写される画像の画質が低下する前に、冷却ファンの風量を調整することにより、射出側偏光板の温度上昇を抑制することができる。
【００３５】
あるいは、上記発明のプロジェクタにおいて、
前記液晶ライトバルブを冷却するための冷却ファン、を備え、
前記制御部は、前記黒レベル調整部を前記第２のモードで動作させた後、さらに、前記温度検出部で検出した温度に基づいて、前記冷却ファンに対して前記冷却ファンの風量を調整させることも好ましい。
【００３６】
これにより、画像信号の黒レベルを調整させた後、さらに、冷却ファンの風量を調整して射出側偏光板の温度上昇を抑制することができるので、効果的に射出側偏光板の温度上昇を抑制することができる。
【００３７】
また、上記発明のプロジェクタにおいて、
前記液晶ライトバルブを冷却するための冷却ファン、を備え、
前記制御部は、ユーザの指示に従って、前記黒レベル調整部を前記第２のモードで動作させる前に、前記温度検出部で検出した温度に基づいて、前記冷却ファンに対して前記冷却ファンの風量を調整させる第１の複数制御モードと、前記黒レベル調整部を前記第２のモードで動作させた後、さらに、前記温度検出部で検出した温度に基づいて、前記冷却ファンに対して前記冷却ファンの風量を調整させる第２の複数制御モードのいずれで動作させるか決定することも好ましい。
【００３８】
これにより、ユーザは射出側偏光板の温度上昇を抑制するための制御動作として、第１の複数制御モードと、第２の複数制御モードから選択することが可能である。
【００３９】
また、上記発明のプロジェクタにおいて、
前記入射光の光量を調整する入射光量調整部、を備え、
前記制御部は、前記黒レベル調整部を前記第２のモードで動作させた後、さらに、前記温度検出部で検出される温度に基づいて、前記入射光量調整部に対して前記入射光の光量を調整させることが好ましい。
【００４０】
これにより、画像信号の黒レベルを調整して射出側偏光板の温度上昇を抑制した後で、さらに、液晶ライトバルブの入射光の光量を調整して射出側偏光板の温度上昇を抑制することができるので、効果的に射出側偏光板の温度上昇を抑制することができる。
【００４１】
また、上記発明のプロジェクタにおいて、
前記入射光の光量を調整する入射光量調整部、を備え、
前記制御部は、前記黒レベル調整部を前記第２のモードで動作させ、前記冷却ファンの風量を調整させた後、さらに、前記温度検出部で検出される温度に基づいて、前記入射光量調整部に対して前記入射光の光量を調整させることも好ましい。
【００４２】
これにより、画像信号の黒レベルを調整し、冷却ファンの風量を調整して、射出側偏光板の温度上昇を抑制した後で、さらに、液晶ライトバルブの入射光の光量を調整して射出側偏光板の温度上昇を抑制することができるので、効果的に射出側偏光板の温度上昇を抑制することができる。
【００４３】
また、上記発明のプロジェクタにおいて、
前記入射光の光量を調整する入射光量調整部、を備え、
前記制御部は、前記第１または第２の複数制御モードで動作後、さらに、前記温度検出部で検出される温度に基づいて、前記入射光量調整部に対して前記入射光の光量を調整させることも好ましい。
【００４４】
これにより、第１または第２の複数制御モードで、射出側偏光板の温度上昇を抑制した後で、さらに、液晶ライトバルブの入射光の光量を調整して射出側偏光板の温度上昇を抑制することができるので、効果的に射出側偏光板の温度上昇を抑制することができる。
【００４５】
また、上記発明のプロジェクタにおいて、
前記制御部は、ユーザの指示に従って、前記黒レベル調整部を前記第１のモードと前記第２のモードのいずれで動作させるかを決定することも好ましい。
【００４６】
これにより、ユーザは、画像信号の黒レベルを標準の階調レベルに調整する第１のモードと、標準の階調レベルよりも高い会長レベルに調整する第２のモードのいずれかで動作させることができる。
【発明を実施するための最良の形態】
【００４７】
以下、本発明の実施の形態を実施例に基づいて以下の順序で説明する。
Ａ．プロジェクタの構成：
Ｂ．温度制御：
Ｃ．変形例：
【００４８】
Ａ．プロジェクタの構成：
【００４９】
図１は、本発明を適用したプロジェクタを示す説明図である。このプロジェクタ１０００は、画像を投写するための光学系１００と、画像の投写を制御するための制御系７００とにより構成されている。
【００５０】
光学系１００は、照明光学系２００と、色光分離光学系３００と、３つのライトバルブ（ＬＶ）４００Ｒ，４００Ｇ，４００Ｂと、クロスダイクロイックプリズム５００と、投写レンズ（投写光学系）６００と、を備えている。
【００５１】
照明光学系２００は、偏光変換光学系２６０を含んでおり、光源装置２１０から射出された光を偏光方向の揃った１種類の直線偏光光に変換して射出する。照明光学系から射出された光は、色光分離光学系３００において、赤（Ｒ）、緑（Ｇ）、青（Ｂ）の３色の色光に分離される。分離された各色光は、ライトバルブ４００Ｒ，４００Ｇ，４００Ｂにおいて画像信号に応じて変調される。
【００５２】
Ｒ用のライトバルブ４００Ｒは、液晶パネル４０１Ｒと、その光入射面側および光射出面側に設けられた入射側偏光板４０２Ｒｉおよび射出側偏光板４０２Ｒｏと、を備えている。入射側偏光板４０２Ｒｉおよび射出側偏光板４０２Ｒｏは、液晶パネル４０１Ｒから離された位置で図示しない透過性のガラス板に貼り付けられている。
【００５３】
Ｒ用のライトバルブ４００Ｒに入射するＲ光は、上記のように偏光変換光学系２６０を備える照明光学系２００から射出されているので、直線偏光光となっている。入射側偏光板４０２Ｒｉの偏光軸は、入射する直線偏光光の偏光方向と同じとなるように設定されている。従って、入射側偏光板４０２Ｒｉに入射したＲ光のほとんどが入射側偏光板４０２Ｒｉをそのまま透過する。入射側偏光板４０２Ｒｉから射出された偏光光は、液晶パネル４０１Ｒに入射される画像信号に応じて、その偏光方向が変調される。なお、画像信号は、後述する画像処理部から供給される。射出側偏光板４０２Ｒｏは、液晶パネル４０１Ｒにおいて変調された光のうち、偏光軸と同じ偏光方向の光のみを透過して射出し、その他の偏光方向を有する光を吸収する。これにより、Ｒ用のライトバルブ４００Ｒは、入射するＲ光を、画像信号に応じて変調する。
【００５４】
同様に、Ｇ用のライトバルブ４００Ｇは入射するＧ光を画像信号に応じて変調し、Ｂ用のライトバルブ４００Ｂは入射するＢ光を画像信号に応じて変調する。
【００５５】
ライトバルブ４００Ｒ，４００Ｇ，４００Ｂにおいて変調された３色の変調光線束は、クロスダイクロイックプリズム５００で合成され、投写光学系６００によって図示しないスクリーン上に投写される。
【００５６】
なお、図１に示すような光学系の各構成および機能については、例えば、本願出願人によって開示された特開２００３−２７０６３６号公報に詳述されているので、本明細書において詳細な説明は省略する。
【００５７】
図２は図１の制御系７００を示す説明図である。制御系７００は、画像処理部８００と、処理制御部９００と、を備えている。
【００５８】
画像処理部８００は、入力信号処理部８１０と、補正処理部８２０と、Ｒ，Ｇ，Ｂ用のライトバルブ駆動部８３０Ｒ，８３０Ｇ，８３０Ｂと、を備えている。
【００５９】
入力信号処理部８１０は、外部から画像信号としてＲ，Ｇ，Ｂ信号Ｒ１，Ｇ１，Ｂ１が入力されると、これらの信号がアナログ信号である場合にはアナログ／デジタル変換を行ったり、これらの信号の信号形式に応じて、フレームレート変換やリサイズ処理を行ったりして、後段の処理部で利用可能な画像データに変換する。また、メニュー表示を行う場合は、メニュー画面を重畳したりする。なお、入力された画像信号がコンポジット信号である場合には、そのコンポジット信号を復調するとともに、Ｒ，Ｇ，Ｂ信号および同期信号に分離する処理を行う。
【００６０】
補正処理部８２０は、入力信号処理部８１０から出力されたＲ，Ｇ，Ｂ信号Ｒ２，Ｇ２，Ｂ２に対して補正を施すことにより、ライトバルブ４００Ｒ，４００Ｇ，４００Ｂから射出する透過光の階調特性を補正する。なお、この補正処理部８２０は、Ｒ，Ｇ，Ｂ用の黒レベル調整部８２２Ｒ，８２２Ｇ，８２２Ｂや、Ｒ，Ｇ，Ｂ用のＶＴ補正部８２４Ｒ，８２４Ｇ，８２４Ｂの他、図示しない色補正部等により構成される。
【００６１】
黒レベル調整部８２２Ｒ，８２２Ｇ．８２２Ｂは、制御部９１０から供給される指示に従って、入力信号処理部８１０から出力されたＲ，Ｇ，Ｂ信号Ｒ２，Ｇ２，Ｂ２に対して、出力されるＲ，Ｇ，Ｂ信号Ｒ３，Ｇ３，Ｂ３の黒レベルを調整する。なお、黒レベルとは、画像信号の最低階調レベルを意味している。この黒レベルは、通常は、ライトバルブから射出される光が最低、理論的には遮光されるような階調レベル（以下、「標準の階調レベル」と呼ぶ。）に設定される。
【００６２】
図３は、Ｒ用の黒レベル調整部８２２ＲにおけるＲ信号の入出力特性を示している。以下の説明では、各信号のビット数を８ビットとして説明する。Ｒ信号の黒レベルは、通常、標準の階調レベル"０"に設定され、入力Ｖｉの０から２５５までの階調レベルの変化に応じて、出力Ｖｏの階調レベルも０から２５５までの階調レベルに変化するように設定される。
【００６３】
Ｒ用の黒レベル調整部８２２Ｒでは、入力Ｖｉの黒レベル（標準の階調レベル"０"）に対して、出力Ｖｏの黒レベルとして複数段階の階調レベルを有する階調特性のＲ信号に調整することができる。図３は、出力Ｖｏの黒レベルを標準の階調レベル"０"に対して、階調レベル"３２"、"６４"、"９６"、"１２８"の４段階で調整することができる場合を例に示している。例えば、制御部９１０から黒レベルをアップさせる指示がなされると、Ｒ用の黒レベル調整部８２２Ｒの入出力特性は、出力Ｖｏの黒レベルが標準の階調レベル"０"である０段目の入出力特性ではなく、出力Ｖｏの黒レベルが"３２"である１段目の入出力特性となるように設定され、入力されるＲ信号は、設定された入出力特性に従って変換される。さらに、制御部９１０から黒レベルをアップさせる指示がなされれば、出力Ｖｏの黒レベルが"６４"である２段目の入出力特性となるように設定され、入力されるＲ信号は、設定された入出力特性に従って変換される。このように、制御部９１０からの黒レベルをアップさせる指示に従って、Ｒ用の黒レベル調整部８２２Ｒの入出力特性は、順に、１段目、２段目、３段目、４段目の入出力特性となるように設定される。
【００６４】
なお、このような黒レベル調整部は、例えば、ルックアップテーブルに、あらかじめ、出力の黒レベルとしてそれぞれ異なった階調レベルを有する複数の入出力特性データを記憶しておき、制御部９１０からの指示に従って対応する入出力特性データを選択して利用することにより実現することができる。
【００６５】
以上Ｒ用の黒レベル調整部８２２Ｒについて説明したが、Ｇ，Ｂ用の黒レベル調整部８２２Ｇ，８２２Ｂについても同様である。
【００６６】
ここで、Ｒ，Ｇ，Ｂ信号の黒レベルをアップさせると、Ｒ，Ｇ，Ｂ用のライトバルブ４００Ｒ，４０Ｇ，４００Ｂに、Ｒ，Ｇ，Ｂ信号の黒レベルが入力されたときに、それぞれの射出側偏光板４００２Ｒｏ，４０２Ｇｏ，４０２Ｂｏで吸収される色光の光量を減少させることができるので、それぞれの射出側偏光板４００２Ｒｏ，４０２Ｇｏ，４０２Ｂｏで吸収される色光の光量を全体として実効的に減少させることができる。これにより、それぞれの射出側偏光板４０２Ｒｏ，４０２Ｇｏ，４０２Ｂｏの温度上昇を抑制することが可能である。
【００６７】
図２のＶＴ補正部８２４Ｒ，８２４Ｇ，８２４Ｂは、黒レベル調整部８２２Ｒ，８２２Ｇ，８２２Ｂから出力されたＲ，Ｇ，Ｂ信号Ｒ３，Ｇ３，Ｂ３に対して、ライトバルブ４００Ｒ，４００Ｇ，４００ＢのＶＴ特性（電圧−透過率特性）を考慮したγ補正を施す。なお、ＶＴ補正部８２４Ｒ，８２４Ｇ，８２４Ｂは、通常、ルックアップテーブルにより構成される。
【００６８】
ライトバルブ駆動部８３０Ｒ，８３０Ｇ，８３０Ｂは、補正処理部８２０から出力されたＲ，Ｇ，Ｂ信号Ｒ４，Ｇ４，Ｂ４に基づいて、ライトバルブ４００Ｒ，４００Ｇ，４００Ｂを駆動するための駆動信号を生成する。
【００６９】
ライトバルブ４００Ｒ，４００Ｇ，４００Ｂは、上述したように、ライトバルブ駆動部８３０Ｒ，８３０Ｇ，８３０Ｂから出力された駆動信号に応じて駆動され、入射したＲ光，Ｇ光，Ｂ光を変調する。
【００７０】
処理制御部９００は、制御部９１０と、Ｒ，Ｇ，Ｂ用の温度センサ９２０Ｒ，９２０Ｇ，９２０Ｂと、温度検出部９３０と、冷却ファン９４０と、ファン駆動部９５０と、ランプ駆動部９６０と、入力操作部９７０と、を備えている。
【００７１】
制御部９１０は、図示しないＣＰＵおよびメモリを備えるコンピュータにより構成される。そして、ＣＰＵがメモリに格納されているプログラムを読み出して実行することにより、入力信号処理部８１０や、補正処理部８２０、ライトバルブ駆動部８３０Ｒ，８３０Ｇ，８３０Ｂ、ファン駆動部９５０、ランプ駆動部９６０を制御する。特に、図は、温度制御部９１２、黒レベル制御部９１４、ファン制御部９１６、および、ランプ制御部９１８として機能している場合を示している。
【００７２】
また、制御部９１０は、入力操作部９７０を介して入力されるユーザの指示に従って、種々の制御を実行する。例えば、ユーザが入力操作部９７０としての図示しない操作パネルやリモートコントローラを操作して、メニュー表示を指示すると、制御部９１０は入力信号処理部８１０を制御してメニュー表示を実行する。そして、ユーザは、メニューに従って種々の設定や制御を実行することが可能である。例えば、後述する温度制御動作のオン／オフや、温度制御動作における制御温度等種々の制御条件の設定が可能である。
【００７３】
温度制御部９１２は、温度検出部９３０で検出される温度に従って、黒レベル制御部９１４、ファン制御部９１６、および、ランプ制御部９１８を制御する。
【００７４】
黒レベル制御部９１４は、温度制御部９１２からの指示に従って、Ｒ，Ｇ，Ｂ用の黒レベル調整部８２２Ｒ，８２２Ｇ，８２２Ｂの動作を制御して、出力されるＲ，Ｇ，Ｂ信号の黒レベルを調整する。
【００７５】
ファン制御部９１６は、温度制御部９１２からの指示に基づいて、ファン駆動部９５０の動作を制御することにより、冷却ファン９４０の回転数を制御して風量を調整する。
【００７６】
ランプ制御部９１８は、温度制御部９１２からの指示に基づいて、ランプ駆動部９６０の動作を制御することにより、光源装置２１０から射出される光の量を調整する。
【００７７】
温度検出部９３０は、Ｒ，Ｇ，Ｂ用の温度センサ９２０Ｒ，９２０Ｇ，９２０Ｂから出力された検出信号に応じた温度を検出する。検出された温度情報は、温度制御部９１２に供給される。
【００７８】
ここで、温度センサ９２０Ｒ，９２０Ｇ，９２０Ｂは、対応するＲ，Ｇ，Ｂ用のライトバルブ４００Ｒ，４００Ｇ，４００Ｂの近傍に配置されており、ライトバルブ近傍の空気の温度を検知し、これに応じた検出信号を出力する。
【００７９】
図４は、温度センサの配置位置について示す説明図である。図４（Ａ）は、クロスダイクロイックプリズム５００と、Ｒ，Ｇ，Ｂ用のライトバルブ４００Ｒ，４００Ｇ，４００Ｂとを拡大して示す概略平面図であり、図４（Ｂ）は、これらを投写光学系６００側からみた概略側面図である。
【００８０】
温度センサ９２０Ｒ，９２０Ｇ，９２０Ｂとしては、例えばサーミスタが用いられる。これらの配置位置としては、冷却ファン９４０からの送風が、ライトバルブ４００Ｒ，４００Ｇ，４００Ｂを冷却することにより温度上昇した空気の温度を検出するように、ライトバルブ４００Ｒ，４００Ｇ，４００Ｂの下側に配置された冷却ファン９４０とは反対側の、それぞれ対応するライトバルブ４００Ｒ，４００Ｇ，４００Ｂの上側に配置されている。従って、温度センサ９２０Ｒ，９２０Ｇ，９２０Ｂは、それぞれ対応するライトバルブ４００Ｒ，４０Ｇ，４００Ｂの射出側偏光板４００２Ｒｏ，４０２Ｇｏ，４０２Ｂｏの温度を直接検知するわけではない。しかしながら、検知した空気の温度は、ライトバルブを構成する液晶パネルや偏光板を冷却することにより上昇した空気の温度であるため、一定の相関関係がある。従って、上記空気の温度を検知することにより、間接的に射出側偏光板の温度を検知することができる。
【００８１】
なお、ライトバルブ４００Ｒ，４００Ｇ，４００Ｂの射出側偏光板４０２Ｒｏ，４０２Ｇｏ，４０２Ｂｏの温度を直接検知できるように、温度センサ９２０Ｒ，９２０Ｇ，９２３０Ｂを、それぞれ対応する射出側偏光板４０２Ｒｏ，４０２Ｇｏ，４０２Ｂｏ上に設置するようにしてもよい。
【００８２】
以上のように、温度制御部９１２は、温度検出部９３０で検出される温度に応じて黒レベル制御部９１４、ファン制御部９１６、および、ランプ制御部９１８を制御し、温度検出部９３０で検出される温度を制御する。以下では、この温度制御部９１２における温度制御動作について説明する。
【００８３】
Ｂ．温度制御：
図５は、温度制御部９１２における温度制御動作を示すフローチャートである。プロジェクタが起動されると、上述したように、制御部９１０は、図示しないＣＰＵがメモリに格納されているプログラムを読み出して実行することにより、温度制御部９１２として機能し、図５に示した温度制御動作が常時実行される。
【００８４】
まず、ステップＳ１１０において、温度検出部９３０によってライトバルブ４００Ｒ，４００Ｇ，４００Ｂの近傍温度を検出する。具体的には、温度センサ９２０Ｒ，９２０Ｇ，９２０Ｂからの出力に基づいてライトバルブ４００Ｒ，４００Ｇ，４００Ｂそれぞれの近傍温度を求める。そして、これら求められた３つの温度のうち最も高い温度を、検出温度ｔ℃とする。
【００８５】
次に、ステップＳ１２０において、検出温度ｔと、シャットダウン温度ｔｓ（例えば、８０℃）とを比較し、シャットダウン温度ｔｓ以上（ｔ≧ｔｓ）となっていた場合には、ステップＳ１２２に進み、図示しない電源をオフすることによりプロジェクタの動作をシャットダウンする。一方、ステップＳ１２０において、ｔ≧ｔｓでないならば、ステップＳ１３０に進み、次の判断処理を実行する。
【００８６】
ステップＳ１３０では、検出温度ｔと、上昇制御温度ｔｕ（例えば、７０℃）とを比較し、上昇制御温度ｔｕを越えていた（ｔ＞ｔｕ）場合には、ステップＳ１５２、ステップＳ１６２、およびＳ１７２のいずれかに進み、温度上昇を抑制するための処理（温度上昇抑制処理）を実行する。一方、ステップＳ１３０においてｔ＞ｔｕでないならば、ステップＳ１４０に進み、さらに、次の判断処理を実行する。
【００８７】
ステップＳ１４０では、検出温度ｔと、上昇制御温度ｔｕよりも数度低く設定された下降制御温度ｔｄ（例えば、６７℃）とを比較し、下降制御温度ｔｄ以下（ｔ≦ｔｄ）となっていた場合には、ステップＳ１８２、ステップＳ１９２、およびＳ２０２のいずれかに進み、温度上昇を抑制するために行っていた処理を解除するための処理（温度上昇抑制解除処理）を実行する。一方、ステップＳ１４０においてｔ≦ｔｄでないならば、ステップＳ１１０に戻って、次の温度検出処理を実行する。なお、下降制御温度ｔｄを上昇制御温度ｔｕよりも数度低く設定しているのは、温度制御を安定に実行するためのヒステリシスを持たせるためである。
【００８８】
まず、ｔ＞ｔｕとなっていた場合に実行する温度上昇抑制処理について説明する。
【００８９】
ｔ＞ｔｕであった場合には、まず、ステップＳ１５０において、Ｒ，Ｇ，Ｂ信号の黒レベルをアップすることが可能であるか判断する。すなわち、上述した黒レベル調整部８２２Ｒ，８２２Ｇ，８２２Ｂにおいて、出力するＲ，Ｇ，Ｂ信号の黒レベルを、現在設定されている黒レベルよりも高い階調レベルにすることが可能であるか判断される。上述したように、設定可能な複数段階の黒レベル可変範囲の中で、黒レベルをアップすることが可能である場合には、ステップＳ１５２において、黒レベル制御部９１４を介して黒レベル調整部８２２Ｒ，８２２Ｇ，８２２Ｂを制御することにより、出力するＲ，Ｇ，Ｂ信号の黒レベルを１段階アップする処理を実行する。そして、ステップＳ１１０に戻って、次の温度検出を実行する。一方、黒レベルをアップすることが可能でない場合、すなわち、黒レベルとして設定可能な複数段階の階調レベルの可変範囲の中で、既に、最も高い階調レベルに設定しているため、黒レベルをこれ以上高い階調レベルにアップすることができない場合には、ステップＳ１６０に進み、次の判断処理を実行する。
【００９０】
ステップＳ１６０では、Ｒ，Ｇ，Ｂ用のライトバルブ４００Ｒ，４００Ｇ，４００Ｂを冷却する冷却ファン９４０の風量をアップすることが可能であるか判断する。設定可能な複数段階の風量可変範囲の中で、風量をアップすることが可能である場合には、ステップＳ１６２において、ファン制御部９１６を介してファン駆動部９５０を制御することにより、冷却ファン９４０の風量を１段階アップする処理を実行する。そして、ステップＳ１１０に戻って、次の温度検出を実行する。一方、風量をアップすることが可能でない場合、すなわち、設定可能な複数段階の風量可変範囲の中で、既に、最も多い風量に設定しているため、これ以上風量をアップすることができない場合には、ステップＳ２００に進み、次の判断処理を実行する。
【００９１】
ステップＳ１７０では、光源装置２１０から射出される光量をダウンすることが可能であるか判断する。設定可能な複数段階の光量可変範囲の中で、光量をダウンすることが可能である場合には、ステップＳ１７２において、ランプ制御部９１８を介してランプ駆動部９６０を制御することにより、光源装置２１０の光量を１段階ダウンする処理を実行する。そして、ステップＳ１１０に戻って、次の温度検出を実行する。一方、光量をダウンすることが可能でない場合、すなわち、設定可能な複数段階の光量可変範囲の中で、既に、最も少ない光量に設定しているため、これ以上光量をダウンすることができない場合には、そのままステップＳ１１０に戻って、次の温度検出を実行する。
【００９２】
次に、ｔ≦ｔｄとなっていた場合に実行する温度上昇抑制解除処理について説明する。
【００９３】
ｔ≦ｔｄであった場合には、まず、ステップＳ１８０において、光源装置２１０から射出される光量をアップすることが可能であるか判断する。温度上昇を抑制するために、設定可能な複数段階の光量可変範囲の中で、光量をダウンする処理が行われており、これを解除して光量をアップすることが可能である場合には、ステップＳ１８２において、光源装置２１０の光量を１段階アップする処理を実行する。そして、ステップＳ１１０に戻って、次の温度検出を実行する。一方、光量をアップすることが可能でない場合、すなわち、設定可能な複数段階の光量可変範囲の中で、既に、最も多い光量に設定しているため、これ以上光量をアップすることができない場合には、ステップＳ１９０に進み、次の判断処理を実行する。
【００９４】
ステップＳ１９０では、冷却ファン９４０の風量をダウンすることが可能であるか判断する。温度上昇を抑制するために、設定可能な複数段階の風量可変範囲の中で、風量をアップする処理が行われており、これを解除して風量をダウンすることが可能である場合には、ステップＳ１９２において、冷却ファン９４０の風量を１段階ダウンする処理を実行する。そして、ステップＳ１１０に戻って、次の温度検出を実行する。一方、風量をダウンすることが可能でない場合、すなわち、既に、設定可能な複数段階の風量可変範囲の中で、最も少ない風量に設定しているため、これ以上風量をダウンすることができない場合には、ステップＳ２００に進み、次の判断処理を実行する。
【００９５】
ステップＳ２００では、Ｒ，Ｇ，Ｂ信号の黒レベルをダウンすることが可能であるか判断する。温度上昇を抑制するために、設定可能な複数段階の黒レベル可変範囲の中で、黒レベルをアップする処理が行われており、これを解除して黒レベルをダウンすることが可能である場合には、ステップＳ２０２において、Ｒ，Ｇ，Ｂ信号の黒レベルを１段階ダウンする処理を実行する。そして、ステップＳ１１０に戻って、次の温度検出を実行する。一方、黒レベルをダウンすることが可能でない場合、すなわち、既に、設定可能な複数段階の黒レベル可変範囲の中で、最も低い黒レベルに設定しているため、これ以上黒レベルをダウンすることができない場合には、そのまま、ステップＳ１１０に戻って、次の温度検出を実行する。
【００９６】
以上の温度制御動作において、温度上昇抑制処理では、ライトバルブ４００Ｒ，４００Ｇ，４００Ｂの近傍温度を検出し、検出温度ｔが上昇制御温度ｔｕを越えた場合には、まず、Ｒ，Ｇ，Ｂ信号の黒レベルを、設定可能な複数段階の黒レベル可変範囲の中で順にアップさせて温度上昇を抑制する。そして、最も高い黒レベルまでアップさせても、まだ、温度が上昇する場合には、冷却ファン９４０の風量を、設定可能な複数段階の可変範囲の中で順にアップさせて温度上昇を抑制する。さらに、最も多い風量までアップさせても、まだ、温度が上昇する場合には、光源装置２１０の光量を、設定可能な複数段階の可変範囲の中で順にダウンさせて温度上昇を抑制する。また、温度上昇抑制解除処理では、検出温度ｔが下降制御温度ｔｄ以下となった場合には、温度上昇を抑制するために黒レベルの調整、風量の調整、光量の調整の順で実行されていた温度上昇抑制処理を、逆の順番、すなわち、光量の調整解除、風量の調整解除、黒レベルの調整解除の順で解除する。これにより、ライトバルブ４００Ｒ，４００Ｇ，４００Ｂの近傍温度が、あらかじめ設定されている温度（上昇制御温度ｔｕ）を越えないように制御することができ、これに応じて、ライトバルブ４００Ｒ，４００Ｇ，４００Ｂそれぞれの射出側偏光板４０２Ｒｏ，４０２Ｇｏ，４０２Ｂｏの温度上昇を抑制することができる。
【００９７】
以上説明したように、上記温度制御動作では、Ｒ，Ｇ，Ｂ信号の黒レベルを調整することにより、射出側偏光板で吸収される光量を実効的に減少させることができるので、ライトバルブの入射光の光量を減少させることなく、温度上昇を抑制することが可能となる。また、ライトバルブ、特に、射出側偏光板を冷却するための冷却ファンの風量を全体的に下げることが可能となる。これにより、冷却ファンの回転数を下げることができるので、発生する騒音を抑制することが可能である。また、ファンの小型化が可能である。
【００９８】
なお、Ｒ，Ｇ，Ｂ信号の黒レベルをアップさせると、これに応じてプロジェクタから投写される画像における黒レベルの輝度が高くなり、画像のコントラストを低下させることになる。
【００９９】
しかしながら、明るい部屋でプロジェクタが使用される場合においては、投写画像の黒レベルの実質的な輝度は、部屋の明るさに起因して高くなっている。このため、上記のように、Ｒ，Ｇ，Ｂ信号の黒レベルをアップさせることにより、投写される画像の黒レベルの輝度が高くなったとしても、実質的には何ら問題はないと考えられる。例えば、コントラスト比（白：黒）が１０００：１のプロジェクタを、実質的なコントラスト比が２０：１程度となるような明るい部屋で使用する場合には、Ｒ，Ｇ，Ｂ信号の黒レベルをアップさせて、プロジェクタのコントラスト比を５０：１程度まで低下させたとしも、ほとんど影響はないと考えられる。
【０１００】
また、上記温度上昇抑制処理のように、黒レベルの調整、風量の調整、光源ランプの調整の順で温度上昇を抑制するようにすれば、より効果的に温度上昇を抑制することができ、温度上昇によって発生する射出側偏光板や液晶パネルの劣化を効果的に抑制して、装置の寿命を延ばすことが可能となる。
【０１０１】
Ｃ．変形例：
なお、本発明は上記実施例や実施形態に限られるものではなく、その要旨を逸脱しない範囲において種々の態様にて実施することが可能である。
【０１０２】
Ｃ１．変形例１：
図６は、変形例としての温度制御動作を示すフローチャートである。この温度制御動作は、図５に示した実施例の温度制御動作において、ステップＳ１５０、Ｓ１６０、Ｓ１７０の順番で実行される判断処理を、ステップＳ１６０、Ｓ１５０、Ｓ１７０の順番とし、また、ステップＳ１８０、Ｓ１９０、Ｓ２００の順番で実行される判断処理を、ステップＳ１８０、Ｓ２００、Ｓ１９０の順番とし、これらの順番の違いに応じて、ステップＳ１５２の黒レベルをアップする処理と、ステップＳ１６２の風量をアップする処理の順番を反対とし、また、ステップＳ１９２の風量をダウンする処理と、ステップＳ２０２の黒レベルをダウンする処理の順番を反対としている。
【０１０３】
変形例の温度制御動作では、温度上昇抑制処理において、先に、風量をアップさせ、その後で黒レベルをアップさせいている。黒レベルをアップさせる場合、上記実施例で説明したように、コントラストの低下等により画質の低下が発生する場合がある。変形例の温度制御動作の場合には、黒レベルをアップして温度上昇を抑制する前に、ファンの風量をアップして温度上昇を抑制するので、投写画像の画質を優先する場合に都合がよい。
【０１０４】
Ｃ２．変形例２：
上記実施例および変形例１では、黒レベル、風量、および、光量を調整することにより、温度制御を実行する場合を例に説明しているが、光量を除く、黒レベルおよび風量を調整することにより、温度制御を実行する構成としてもよい。
【０１０５】
Ｃ３．変形例３：
上記実施例および変形例１では、あらかじめ設定された１つの温度制御動作に従って温度を制御する場合を例に説明しているが、入力操作部９７０を介して入力されるユーザの指示に従って、上記実施例の温度制御動作と、変形例１の温度制御動作のいずれかが実行されるようにしてもよい。
【０１０６】
Ｃ４．変形例４：
上記実施例では、黒レベル、風量、および光量を変化させることにより温度を制御する場合を例に説明しているが、これに限定されるものではない。例えば、風量を除く、黒レベルおよび光量を調整して温度を制御する構成としてもよい。また、光量は除く、黒レベルおよび風量を調整して温度を制御する構成としてもよい。さらに、黒レベルのみを調整して温度を制御する構成としてもよい。すなわち、少なくとも、黒レベルを変化させる構成であればよい。
【０１０７】
Ｃ５．変形例５：
上記実施例では、上昇制御温度ｔｕはあらかじめ設定されており、例えば７０℃に設定されているとして説明しているが、これに限定されるものではなく、種々の温度に設定可能である。
【０１０８】
また、上記実施例では、下降制御温度ｔｄは、上昇制御温度ｔｕから数度低い値にあらかじめ設定されており、例えば、６７℃に設定されているとして説明しているが、これに限定されるものではなく、上昇制御温度ｔｕよりも低い種々の温度に設定可能であり、上昇制御温度ｔｕとの関係で安定な温度制御が可能な温度であればよい。
【０１０９】
また、上昇制御温度ｔｕおよび下降制御温度ｔｄを、入力操作部９７０を介して入力されるユーザの指示に従って、あらかじめ用意されている複数の候補の中から選択設定するようにしてもよく、また、ユーザが任意に設定するようにしてもよい。
【０１１０】
Ｃ６．変形例６：
上記実施例では、黒レベルの可変範囲として、標準の階調レベルである０段から最高の階調レベルである４段までの５段階に変化可能である場合を例に説明しているが、これに限定されるものではなく、２段以上の種々の段数とすることができる。
【０１１１】
Ｃ７．変形例７：
上記実施例では、黒レベル調整部８２２Ｒ，８２２Ｇ，８２２Ｂとして、ルックアップテールを用いた場合を例に説明しているが、これに限定されるものではない。例えば、Ｒ，Ｇ，Ｂ信号に、黒レベルとして設定すべき階調レベルに応じたオフセットを与えるとともに、ゲインを調整する回路を用いるようにしてもよい。また、黒レベルとして設定すべき階調レベルに応じて、Ｒ，Ｇ，Ｂ信号の最低レベルをクランプするクランプレベルを調整する回路を用いるようにしてもよい。
【０１１２】
Ｃ８．変形例８：
上記実施例では、黒レベルの可変範囲があらかじめ設定されている場合を例に説明しているが、プロジェクタを使用する部屋の明るさに応じて、ユーザが入力操作部９７０を介して、あらかじめ用意されている複数の候補の中から選択設定するようにしてもよい。また、部屋の明るさを測定するセンサを備えて、測定した部屋の明るさに応じて黒レベルの可変範囲を自動的に設定することようにしてもよい。このようにすれば、部屋の明るさに応じて、投写画像の実質的なコントラストに影響しない最適な可変範囲で黒レベルを変化させることができる。
【０１１３】
Ｃ９．変形例９：
上記実施例では、ランプ駆動部９６０を制御することにより、光源装置２１０から射出される光量を変化させて、ライトバルブ４００Ｒ，４００Ｇ，４００Ｂの入射光を変化させる場合を例に説明しているが、これに限定されるものではなく、光源装置２１０から射出され、ライトバルブ４００Ｒ，４００Ｇ，４００Ｂに入射する光の光路中に、通過する光量を制限する手段、例えば、ライトバルブを備えて、ライトバルブ４００Ｒ，４００Ｇ，４００Ｂに入射する光量を変化させるようにしてもよい。すなわち、ライトバルブ４００Ｒ，４００Ｇ，４００Ｂの入射光の光量を調整する手段（入射光量調整部）であれば、どのような構成であってもよい。
【０１１４】
Ｃ１０．変形例１０：
上記実施例では、検出温度に基づいて黒レベルを調整する場合を例に説明しているが、これに限定するものではない。例えば、入力操作部９７０を介して入力されるユーザの指示に従って、検出温度に基づいて黒レベルを調整するか否かを設定できるようにしてもよい。また、入力操作部９７０を介して入力されるユーザの指示に従って、設定可能な黒レベルの可変範囲の中から、設定したい黒レベルを設定できるようにしてもよい。
【図面の簡単な説明】
【０１１５】
【図１】本発明を適用したプロジェクタを示す説明図である。
【図２】図１の制御系７００を示す説明図である。
【図３】Ｒ用の黒レベル調整部８２２ＲにおけるＲ信号の入出力特性を示している。
【図４】温度センサの配置位置について示す説明図である。
【図５】温度制御部９１２における温度制御動作を示すフローチャートである。
【図６】変形例としての温度制御動作を示すフローチャートである。
【符号の説明】
【０１１６】
１０００...プロジェクタ
１００...光学系
２００...照明光学系
２１０...光源装置
２６０...偏光変換光学系
３００...色光分離光学系
４００Ｒ，４００Ｇ，４００Ｂ...ライトバルブ
４０１Ｒ，４０１Ｇ，４０１Ｂ...液晶パネル
４０２Ｒｉ，４０２Ｇｉ，３０２Ｂｉ...入射側偏光板
４０２Ｒｏ，４０２Ｇｏ，４０２Ｂｏ...射出側偏光板
５００...クロスダイクロイックプリズム
６００...投写光学系
７００...制御系
８００...画像処理部
９００...処理制御部
８１０...入力信号処理部
８２０...補正処理部
８３０Ｒ，８３０Ｇ，８３０Ｂ...ライトバルブ駆動部
８２２Ｒ，８２２Ｇ，８２２Ｂ...黒レベル調整部
９１０...制御部
９１２...温度制御部
９１４...黒レベル制御部
９１６...ファン制御部
９１８...ランプ制御部
９２０Ｒ，９２０Ｇ，９２０Ｂ...温度センサ
９３０...温度検出部
９４０...冷却ファン
９５０...ファン駆動部
９６０...ランプ駆動部
９７０...入力操作部
９５０...ファン駆動部
【図１】
2005274995.tif 000003
【図２】
2005274995.tif 000004
【図３】
2005274995.tif 000005
【図４】
2005274995.tif 000006
【図５】
2005274995.tif 000007
【図６】
2005274995.tif 000008